(57)【要約】【課題】  複数の図柄を変動表示する回転リールを複数配列して構成した表示装置において、回転リールに表示された図柄や模様などの標識を、メカ機構によって拡大及び／又は縮小させることによって、視覚的な演出効果を図ることのできる遊技機を提供する。【解決手段】  回転リール３L，３C，３Rを複数配列して変動表示装置とし、前記回転リール３L，３C，３Rに表示された標識を、各回転リール３L，３C，３Rと対向させて設けた表示窓４L，４C，４Rから視認可能に構成された遊技機において、前記回転リール３L，３C，３Rと表示窓４L，４C，４R間にレンズ構成体３０を配置し、このレンズ構成体３０を変形させることによって、前記回転リール３L，３C，３Rに表示された標識を拡大及び／又は縮小させる。【選択図】      図１
2005296477.tif 000002
【特許請求の範囲】
【請求項１】
回転リールを複数配列して変動表示装置とし、前記回転リールに表示された標識を、前記回転リールと対向させて設けた表示窓から視認可能に構成した遊技機において、
前記回転リールと表示窓間にレンズ構成体を配置し、
このレンズ構成体を変形させることによって、前記回転リールに表示された標識を拡大及び／又は縮小させるよう構成したこと
を特徴とする遊技機。
【請求項２】
前記レンズ構成体は、
透明で扁平なプラスチック製の中空体からなるものであって、この中空体を凹状及び／又は凸状に変形させることによって、内部に存在する流体量が増減可能に構成されていること
を特徴とする請求項１に記載の遊技機。
【請求項３】
前記流体は、
着色されていること
を特徴とする請求項２に記載の遊技機。
【請求項４】
前記レンズ構成体は、
透明性、高屈折率性および可撓性を有するプラスチック製の板状体からなること
を特徴とする請求項１に記載の遊技機。
【請求項５】
前記レンズ構成体は、
前記板状体の周縁部に配置したプランジャーの伸縮によって、全体を凹状及び／又は凸状に変形させること
を特徴とする請求項１に記載の遊技機。
【請求項６】
前記レンズ構成体は、
複数の板状体または中空体が、前記複数の回転リールの前面に分割して配置されること
を特徴とする請求項１〜５のいずれかに記載の遊技機。
【請求項７】
前記レンズ構成体は、
前記回転リールを複数配列した変動表示装置を制御する制御手段によって、変形すること
を特徴とする請求項１〜５のいずれかに記載の遊技機。
【請求項８】
前記レンズ構成体は、
前記回転リールを複数配列して構成した変動表示装置を制御する制御手段によって、あらかじめ定められた条件が成立したときに変形すること
を特徴とする請求項１〜５のいずれかに記載の遊技機。
【発明の詳細な説明】
【技術分野】
【０００１】
この発明は、遊技に必要な図柄を変動表示する変動表示手段と、その変動表示を制御するマイクロコンピュータ等の制御手段とを備えたスロットマシン、パチンコ機、その他の遊技機に関するものである。
【背景技術】
【０００２】
例えば、停止ボタンを備えたスロットマシン、いわゆるパチスロ機は、正面の表示窓内に複数の図柄を変動表示する回転リールを複数配列して構成した機械的変動表示装置、あるいは回転リール上の図柄を画面に表示する電気的変動表示装置を有し、遊技者のスタート操作に応じて、制御手段が前記の変動表示装置を駆動制御し、各回転リールを回転させることにより図柄を変動表示させ、一定時間後に自動的に、あるいは遊技者の停止操作により、各回転リールの回転を順次停止させ、表示窓内に現れた各回転リールの図柄が特定の組合せ（入賞図柄）になった場合に、メダル又はコイン等の遊技媒体を払出すことで遊技者に利益を付与するものである。
【０００３】
一方、パチンコ機においても、同様に図柄を画面に表示する電気的変動表示装置を有するもので、この変動表示装置は、遊技盤の遊技領域における遊技球の移動を制限しない程度の表示面積を有しているものの、近時の遊技者は出玉を大きく左右する表示画面上のゲームに注目し易いため、その表示画面は７インチ以上の画面サイズに拡大される傾向にある。また、遊技者を飽きさせないよう表示画面による演出に様々な工夫がなされてきている関係上、表示面積はますます拡大されてきている。
【０００４】
そこで、大表示面積を有効に用い、画面表示演出に変化を持たせ、かつ、遊技領域内のレイアウトにも余裕を持たせることができる遊技機として、特開２００１−１７８９１２号公報（特許文献１）においては、遊技領域を形成した遊技盤に変動図柄などを表示する表示装置を設けた遊技機において、前記表示装置の表示面の一部をマスク部材で覆い、このマスク部材を移動させて、前記表示面を拡大する遊技機が提案されている。
【特許文献１】特開２００１−１７８９１２号公報（特許請求の範囲、図１）
【発明の開示】
【発明が解決しようとする課題】
【０００５】
しかしながら、前記特許文献１に記載の遊技機は、表示装置の表示面の一部をマスク部材で覆い、このマスク部材を移動させて前記表示面を拡大するにすぎず、コンピュータ制御によって現れる図柄自体を拡大及び／又は縮小するものではなく、従来のいわゆるパチスロ機においても、表示される図柄をメカ機構によって拡大及び／又は縮小するものは存在していない。
【０００６】
この発明はかかる現状に鑑み、複数の図柄を変動表示する回転リールを複数配列して構成した表示装置において、回転リールに表示された図柄や模様などの標識を、メカ機構によって拡大及び／又は縮小させることによって、視覚的な演出効果を図ることのできる遊技機を提供するものである。
【課題を解決するための手段】
【０００７】
前記の目的を達成するため、この発明の請求項１に記載の発明は、
回転リールを複数配列して変動表示装置とし、前記回転リールに表示された標識を、前記回転リールと対向させて設けた表示窓から視認可能に構成した遊技機において、
前記回転リールと表示窓間にレンズ構成体を配置し、
このレンズ構成体を変形させることによって、前記回転リールに表示された標識を拡大及び／又は縮小させるよう構成したこと
を特徴とする遊技機である。
【０００８】
また、この発明の請求項２に記載の発明は、
請求項１に記載の遊技機において、
前記レンズ構成体は、
透明で扁平なプラスチック製の中空体からなるものであって、この中空体を凹状及び／又は凸状に変形させることによって、内部に存在する流体量が増減可能に構成されていること
を特徴とするものである。
【０００９】
また、この発明の請求項３に記載の発明は、
請求項２に記載の遊技機において、
前記流体は、着色されていること
を特徴とするものである。
【００１０】
また、この発明の請求項４に記載の発明は、
請求項１に記載の遊技機において、
前記レンズ構成体は、
透明性、高屈折率性および可撓性を有するプラスチック製の板状体からなること
を特徴とするものである。
【００１１】
また、この発明の請求項５に記載の発明は、
請求項１に記載の遊技機において、
前記レンズ構成体は、
前記板状体の周縁部に配置したプランジャーの伸縮によって、全体を凹状及び／又は凸状に変形させること
を特徴とするものである。
【００１２】
また、この発明の請求項６に記載の発明は、
請求項１〜５のいずれかに記載の遊技機において、
前記レンズ構成体は、
複数の板状体または中空体が、前記複数の回転リールの前面に分割して配置されること
を特徴とするものである。
【００１３】
また、この発明の請求項７に記載の発明は、
請求項１〜５のいずれかに記載の遊技機において、
前記レンズ構成体は、
前記回転リールを複数配列した変動表示装置を制御する制御手段によって、変形すること
を特徴とするものである。
【００１４】
また、この発明の請求項８に記載の発明は、
請求項１〜５のいずれかに記載の遊技機において、
前記レンズ構成体は、
前記回転リールを複数配列して構成した変動表示装置を制御する制御手段によって、あらかじめ定められた条件が成立したときに変形すること
を特徴とするものである。
【発明の効果】
【００１５】
この発明の遊技機は、回転リールを複数配列して変動表示装置とし、前記回転リールに表示された標識を、各回転リールと対向させて設けた表示窓から視認可能に構成するに際し、前記回転リールと表示窓間にレンズ構成体を配置し、レンズ構成体をメカ機構で凸状及び／又は凹状に変形させることによって、表示される標識を拡大及び／又は縮小することができるので、視覚的な演出効果を図ることができ、遊技の興趣を向上させることができる。
【００１６】
特に、前記レンズ構成体を、透明性、高屈折率性および可撓性を有するプラスチック製の板状体で形成し、その周縁部に配置したプランジャーを伸縮させることによって、レンズ構成体を簡単かつ容易に凸状及び／又は凹状に変形させることができ、薄型であるので従来の遊技機にも適用することが可能となる。
【００１７】
また、前記レンズ構成体を、内部に流体を流入し、また、内部に存在する流体を外部に排出が可能な透明で扁平なプラスチック製の中空体で形成し、この中空体内に存在する空気又は水の流体量を変化させることによって、中空体を簡単かつ容易に凸状及び／又は凹状に変形させることができる。
【００１８】
その際、前記中空体の変形を、油圧モータの回転、またはシリンダの伸縮、さらには流体貯蔵タンクの伸縮による中空体内の空気又は水の流体量の調整という簡便な手段で行なうことが可能であるので、全体の構成を簡素化できる。
【００１９】
さらに、かかるメカ機構による前記中空体の変形を、遊技機内に設けられた各回転リールを制御するマイクロコンピュータなどの制御手段によって、特には、表示窓に顕出する各回転リールの標識が特定の組合せ、たとえば、入賞図柄になった場合など、特定の条件が成立したときに行なわれるようにすることによって、遊技の興趣を一層向上させることができる。
【発明を実施するための最良の形態】
【００２０】
以下、この発明の遊技機にかかる実施の形態を添付の図面に基づいて説明するに、図１はこの発明にかかる遊技機の一例の外観を示す斜視図、図２はこの発明にかかる遊技機の要部の一例を模式的に示す斜視図、図３は前記要部におけるレンズ構成体と回転リールの関係を示す説明図、図４は前記要部におけるレンズ構成体と回転リールの他の関係を示す説明図、図５はこの発明にかかる遊技機の要部の、他の例を模式的に示す説明図である。
【００２１】
図１において、１はいわゆる「パチスロ機」と称される遊技機で、コイン、メダル又はトークンなどの他、遊技者に付与された、もしくは付与される遊技価値の情報を記憶したカード等の遊技媒体を用いて遊技する遊技機であるが、以下ではメダルを用いるものとして説明する。
【００２２】
遊技機１の全体を形成しているキャビネット２の正面には、略垂直面としてのパネル表示部２ａが形成され、その中央には、縦長で矩形の表示窓４Ｌ，４Ｃ，４Ｒが設けられている。この表示窓４Ｌ，４Ｃ，４Ｒには、入賞ラインとして、水平方向にトップライン８ｂ，センターライン８ｃおよびボトムライン８ｄが、また、斜め方向にクロスダウンライン８ａおよびクロスアップライン８ｅの計５本が設けられている。
【００２３】
これらの入賞ラインは、スイッチ１１，スイッチ１２，スイッチ１３を操作することによって、あるいはメダル投入口２２にメダルを投入することで、それぞれ１本、３本、５本が有効化され、どの入賞ラインが有効化されたかは、ＢＥＴランプ９ａ，９ｂ，９ｃの点灯で表示される。
【００２４】
前記キャビネット２の内部には、各々の外周面に複数種類の図柄によって構成される図柄列が描かれた３個の回転リール３Ｌ，３Ｃ，３Ｒが回転自在に横一列に設けられ、変動表示手段を構成している。各回転リール３Ｌ，３Ｃ，３Ｒの図柄は、表示窓４Ｌ，４Ｃ，４Ｒを通して目視できるようになっている。また、各回転リール３Ｌ，３Ｃ，３Ｒは、定速回転（例えば８０回転／分）で回転する。
【００２５】
前記の表示窓４Ｌ，４Ｃ，４Ｒの左側には、ＢＥＴランプ９ａ，ＢＥＴランプ９ｂ，ＢＥＴランプ９ｃおよびクレジット表示部１９が設けられる。これらＢＥＴランプ９ａ，９ｂ，９ｃは、一のゲームを行なうために賭けられたメダルの数（以下「ＢＥＴ数」という）に応じて点灯する。
【００２６】
この遊技機１においては、１回のゲームは全ての回転リール３Ｌ，３Ｃ，３Ｒが停止した時に終了する。なお、クレジット表示部１９は、７セグメントＬＥＤから成り、貯留されているメダルの枚数を表示する。
【００２７】
また、表示窓４Ｌ，４Ｃ，４Ｒの右側には、当り表示ランプ（所謂ＷＩＮランプ）１７および払出表示部１８が設けられる。この当り表示ランプ１７は、特定の図柄が有効ラインに沿って並ぶことによって成立するビッグボーナス（ＢＢ）、又は前記特定の図柄が有効ラインに沿って並ぶことによって成立するレギュラーボーナス（ＲＢ）に内部当選した場合、所定の確率で点灯する。なお、この明細書では「ＢＢ」及び「ＲＢ」を総称して、以下「ボーナス」という。なお、払出表示部１８は、７セグメントＬＥＤから成り、入賞成立時のメダルの払出枚数を表示する。
【００２８】
また、前記パネル表示部２ａの右側上部には、ボーナス遊技情報表示部２０が設けられる。このボーナス遊技情報表示部２０は、７セグメントＬＥＤから成り、ボーナス中、一般遊技状態におけるゲームの回数等を表示する。さらに、前記表示窓４Ｌ，４Ｃ，４Ｒの下方には水平面の台座部１０が形成され、その台座部１０と表示窓４Ｌ，４Ｃ，４Ｒとの間には液晶表示装置５が設けられている。この液晶表示装置５の表示画面５ａには、遊技に関連する情報等が表示される。
図１の例においては「スイカの小役に内部当選しています・報知レベル：３」と表示されている。なお、小役とは、前記ボーナス以外の図柄が、有効ラインに沿って並ぶことによって成立する入賞役を言う。
【００２９】
前記液晶表示装置５の右側には、メダル投入口２２が設けられている。また、液晶表示装置５の左側には、ＢＥＴスイッチ１１，ＢＥＴスイッチ１２及びＢＥＴスイッチ１３が設けられる。前記ＢＥＴスイッチ１１は、１回の押し操作により、クレジットされているメダルのうちの１枚がゲームに賭けられる。また、ＢＥＴスイッチ１２は、１回の押し操作により、クレジットされているメダルのうちの２枚がゲームに賭けられる。さらに、ＢＥＴスイッチ１３は、１回のゲームに賭けることが可能な最大枚数のメダルを賭けることができる。これらのＢＥＴスイッチ１１，１２，１３を操作することで、所定の入賞ラインが有効化される。
【００３０】
また、台座部１０の前面部の左寄りには、遊技者がゲームで獲得したメダルのクレジット／払出しを押しボタン操作で切換える貯留メダル清算ボタン１４が設けられている。この貯留メダル清算ボタン１４の切換えによって、メダルが正面下部のメダル払出口１５から払出され、払出されたメダルはメダル受け部１６に溜められる。さらに、前記貯留メダル清算ボタン１４の右側には、遊技者の操作により上記回転リール３Ｌ，３Ｃ，３Ｒを回転させ、表示窓４Ｌ，４Ｃ，４Ｒ内での図柄の変動表示を開始するためのスタートレバー６が、所定の角度範囲で回動自在に取り付けられている。
【００３１】
さらに、前記キャビネット２の上方の左右には、スピーカ２１Ｌ，２１Ｒが設けられ、このスピーカ２１Ｌ，２１Ｒの間には、入賞図柄の組合せおよびメダルの配当枚数等を表示する配当表パネル２３が設けられている。また、台座部１０の前面部中央で、液晶表示装置５の下方位置には、３個の回転リール３Ｌ，３Ｃ，３Ｒの回転をそれぞれ停止させるための３個の停止ボタン（停止操作部）７Ｌ，７Ｃ，７Ｒが設けられている。
【００３２】
かかる構成の遊技機１において、この発明は、図２に示すように、３個の回転リール３Ｌ，３Ｃ，３Ｒと、表示窓４Ｌ，４Ｃ，４Ｒを有するパネル表示部２ａとの間に、メカ機構によって変形するレンズ構成体３０を配置したものである。
【００３３】
このレンズ構成体３０は、板状体もしくは中空体で構成される。板状体３１とする場合には、透明性と高屈折率性を有するプラスチック素材、たとえばアクリル樹脂やウレタン樹脂を金型に入れて成形加工し、その表面にコーティング処理を施して得るもので、板厚が薄いほど凸状又は凹状に変形させ易く、取扱いが容易となり、全体をコンパクトにすることができる。
【００３４】
この板状体３１からなるレンズ構成体３０は、図示しないが、その周縁部に複数のプランジャーなどの駆動機構を配置し、この駆動機構の操作によって板状体３１全体を、パネル表示部２ａに向かって凸状又は凹状になるよう変形させるもので、駆動機構については特段の制限はないものである。
【００３５】
なお、図２においては、１枚の板状体３１を配置してレンズ構成体３０としているが、図３に示すように、各回転リール３Ｌ，３Ｃ，３Ｒに対応させて縦長の板状体３１ａ，３１ｂ，３１ｃを配置してレンズ構成体３０とし、あるいは図４に示すように、横長の板状体３１ｄ，３１ｅ，３１ｆを配置してレンズ構成体３０とし、各板状体を同時に凸状又は凹状に変形させ、あるいは個別に変形させることが可能である。
【００３６】
前記レンズ構成体３０を構成する板状体の枚数や配置方法には特段の制限はないが、板状体３１の枚数が増加するほど構成が複雑化するので、最大で９枚程度が好ましいものである。なお、レンズ構成体３０を中空体で構成する場合も同様である。
【００３７】
前記レンズ構成体３０を中空体で構成する場合には、ポリエチレンテレフタレート樹脂（ＰＥＴ）やポリプロピレン樹脂（ＰＰ）など可撓性に富んだプラスチック素材で、扁平かつ透明な中空体３２を形成するとともに、この中空体３２にパイプ３３の一端を一体的に連結したもので、前記パイプ３３の他端は、油圧モータ、シリンダ（いずれも図示せず）あるいは流体貯留タンク３４からなる駆動機構に接続され、中空体３２に設けたキャップ（図示せず）もしくは前記パイプ３３を通じて中空体３２内に空気もしくは水などの流体を充填してレンズ構成体３０とし、３個の回転回転リール３Ｌ，３Ｃ，３Ｒと、表示窓４Ｌ，４Ｃ，４Ｒを有するパネル表示部２ａとの間に配置するものである。
【００３８】
この中空体３２内に充填する流体は、前記のように空気のような気体又は水のような液体で、中空体３２にあらかじめ充填された流体量を変化、すなわち増減させることによって、中空体３２を凸状又は凹状に変形させるものである。なお、その充填量は、パイプ３３を介して供給される流体によって中空体３２を凸状に膨出させ、また、パイプ３３を介して抜き出して中空体３２を凹状に凹ませるのに必要な量である。
【００３９】
かかる中空体３２を凸状又は凹状に変形させる駆動機構としては、前記のように油圧モータ、シリンダ（いずれも図示せず）あるいは流体貯留タンク３４があるが、この実施例においては、流体貯留タンク３４の例について説明する。
【００４０】
前記流体貯留タンク３４は、ＰＥＴ樹脂など可撓性を有するプラスチック素材で成形したアコーディオン状のタンク主体３４ａの一端面（底面側）に前記パイプ３３の一端部を接続し、前記中空体３２と流体貯留タンク３４を相互に連通させたものである。この流体貯留タンク３４を伸縮させることによって、流体貯留タンク３４内の流体を中空体３２に供給ないし吸引し、もって流体貯留タンク３４を凸状又は凹状に変形させる。
【００４１】
この流体貯留タンク３４を伸縮させる手段としては、たとえば、前記タンク主体３４ａの他端面（上面側）にソレノイド（図示せず）のプランジャー３５の先端部を取付け、ソレノイドを作動させることによってプランジャー３５を伸長させ、もってタンク主体３４ａを収縮させ、タンク主体３４ａ内の流体を中空体３２内に送り込み、中空体３２内の圧力を高めて全体を凸状に、もしくは中空体３２のパネル表示部２ａ側の面のみを凸状に膨出させて凸レンズを形成させる。また、プランジャー３５を後退させることによって、タンク主体３４ａを伸展させ、中空体３２内の流体をタンク主体３４ａ内に吸引し、中空体３２内の圧力を低めて全体を凹状に、もしくは中空体３２のパネル表示部２ａ側の面のみを凹状に凹ませて凹レンズを形成させて、各回転回転リール３Ｌ，３Ｃ，３Ｒの標識を拡大又は縮小させる。
【００４２】
前記流体貯留タンク３４を伸縮させる手段として、図３においてはソレノイドを使用しているが、シリンダを使用しても同様の動作を実施することができるものである。要は、流体貯留タンク３４を伸縮させる手段であれば、その手段に特段の制限はない。
【００４３】
また、この流体貯留タンク３４を伸縮させるタイミングは、図示しないが、遊技機１に内蔵された各回転リール３Ｌ，３Ｃ，３Ｒを制御するマイクロコンピュータなどの制御手段によって行なうことが望ましい。特に、ボーナスあるいは小役の入賞が成立した時などの特定の条件が成立した場合に作動させることによって、遊技の興趣を一層向上させることができる。なお、特定の条件とは、必ずしも入賞時のみに限定されるものではなく、いわゆる「ハズレ」に内部当選したことを契機として、一定の条件が満たされた場合などにおいても実行可能なものである。
【００４４】
また、先に述べたように、各回転リール３Ｌ，３Ｃ，３Ｒに対応させて縦長の板状体３１ａ，３１ｂ，３１ｃを配置してレンズ構成体３０とした場合（図３参照）、あるいは横長の板状体３１ｄ，３１ｅ，３１ｆを配置してレンズ構成体３０とした場合（図４参照）には、たとえば、板状体３１ａ，３１ｂ，３１ｃを同時に凹状又は凸状に、あるいは前記板状体３１ａと３１ｃは凹状に、板状体３１ｂは凸状になるよう個別に制御させることもできる。中空体で構成する場合も同様である。
【００４５】
また、前記中空体３２内に水を充填する場合、無着色のものであってもよいが、特定の色に着色された水を使用することによって、レンズの厚さが変化し、色の濃淡の表現が可能となり、また、水可溶性有機溶剤を混入させることによって、屈折率を変化させることもできる。
【００４６】
なお、前記制御手段とは、図示しないが、前記遊技機１における遊技処理動作を制御する主制御回路と、主制御回路に電気的に接続する周辺装置（アクチュエータ）と、主制御回路から送信される制御指令に基づいて液晶表示装置およびスピーカ２１Ｌ，２１Ｒを制御する副制御回路とを含む回路構成からなるものである。
【００４７】
前記主制御回路は、回路基板上に配置されたマイクロコンピュータを主たる構成要素とし、これに乱数サンプリングのための回路を加えて構成されている。このマイクロコンピュータは、あらかじめ設定されたプログラムに従って制御動作を行なうＣＰＵと、記憶手段であるＲＯＭおよびＲＡＭを含んでいる。
【００４８】
そして、前記ＣＰＵには、基準クロックパルスを発生するクロックパルス発生回路および分周器と、サンプリングされる乱数を発生する乱数発生器およびサンプリング回路とが接続されている。
【００４９】
前記乱数サンプリングのための手段としては、前記マイクロコンピュータ内で、すなわちＣＰＵの動作プログラム上で乱数サンプリングを実行するように構成してもよい。その場合、乱数発生器およびサンプリング回路は省略することが可能で、あるいは、乱数サンプリング動作のバックアップ用として残しておくことも可能である。
【００５０】
また、前記マイクロコンピュータのＲＯＭには、スタートレバー６を操作（スタート操作）する毎に行われる乱数サンプリングの判定に用いられる確率抽選テーブル、停止ボタンの操作に応じてリールの停止態様を決定するための停止制御テーブル、副制御回路へ送信するための各種制御指令（コマンド）等が格納されている。
【００５１】
前記のコマンドには、「デモ表示コマンド」、「全リール停止コマンド」、「報知要求コマンド」等がある。なお、前記副制御回路が主制御回路へコマンド、情報等を入力することはなく、主制御回路から副制御回路への一方向で通信が行われる。また、ＲＡＭには、報知レベルカウンタ、各報知レベルの情報等の各種情報が格納されているものである。
【図面の簡単な説明】
【００５２】
【図１】この発明にかかる遊技機の一例の外観を示す斜視図である。
【図２】この発明にかかる遊技機の要部の一例を模式的に示す斜視図である。
【図３】前記要部におけるレンズ構成体と回転リールの関係を示す説明図である。
【図４】前記要部におけるレンズ構成体と回転リールの他の関係を示す説明図である。
【図５】この発明にかかる遊技機の要部の、他の例を模式的に示す説明図である。
【符号の説明】
【００５３】
１                遊技機
２ａ              パネル表示部
３Ｌ，３Ｃ，３Ｒ  回転リール
４Ｌ，４Ｃ，４Ｒ  表示窓
３０              レンズ構成体
３１              板状体
３１ａ〜３１ｆ    板状体
３２              中空体
３３              パイプ
３４              流体貯留タンク
３４ａ            タンク主体
３５              ソレノイドのプランジャー
【図１】
2005296477.tif 000003
【図２】
2005296477.tif 000004
【図３】
2005296477.tif 000005
【図４】
2005296477.tif 000006
【図５】
2005296477.tif 000007